(57)【要約】【課題】本発明は、簡単な構造で、容易に作業できるブレーカ固定の構造を提供することを目的としている。【解決手段】本発明に係るブレーカ固定の構造は、取り付け板にブレーカを係止する固定部材を挟持させる構造とし、取り付け板は一端にはブレーカ固定片を形成し、他端には、固定部材差し込み穴と固定部材係止穴を設けると共に、固定部材は、ブレーカ固定部を有すると共に、固定部差し込み穴に水平に差し込み可能である差し込み部が形成され、差し込み部には固定部材係止穴に係止可能である係止部を設け、固定部材を固定部材差し込み穴に差し込んだ状態でブレーカを載置し、固定部材を取り付け板にねじ止めによりブレーカを固定することを特徴とする。【選択図】図２
2009189135.tif 000002
【特許請求の範囲】
【請求項１】
分電盤を構成するブレーカ固定の構造であって、取り付け板に前記ブレーカを係止する固定部材を挟持させる構造とし、前記取り付け板は一端にはブレーカ固定片を形成し、他端には、固定部材差し込み穴と固定部材係止穴を設けると共に、前記固定部材は、ブレーカ固定部を有すると共に、前記固定部差し込み穴に水平に差し込み可能である差し込み部が形成され、該差し込み部には前記固定部材係止穴に係止可能である係止部を設け、前記固定部材を前記固定部材差し込み穴に差し込んだ状態で前記ブレーカを載置し、前記固定部材を前記取り付け板にねじ止めにより前記ブレーカを固定することを特徴とするブレーカ固定の構造。
【発明の詳細な説明】
【技術分野】
【０００１】
本発明は、分電盤を構成するブレーカ固定の構造に関するものである。
【背景技術】
【０００２】
従来、ブレーカの取り付け構造は、図４に示すように、ブレーカを係止する板ばね３１を取り付け板３２にかしめて取り付けられていた。板ばね３１は金属製、取り付け板３２は樹脂製で製作されることが多く、かしめ用の機械や工具を用いて板ばね３１を取り付け板３２に固定していた。取り付け板３２には突起部３３が設けられており、板ばね３１を取り付け板３２に固定した状態で、ブレーカは、突起部３３と板ばね３１とに挟んで固定されていた。
【特許文献１】実開昭５７−９５７５０号公報
【発明の開示】
【発明が解決しようとする課題】
【０００３】
上記従来のブレーカ固定の構造では、板ばねを取り付け板にかしめて取り付けるため、かしめ用の機械や工具を用いなくてはならず、作業性がわるく、組立作業の効率が悪かった。また、分電盤が不用となった場合、それぞれの材質に分別してリサイクルしたいが、板ばねと取り付け板がかしめられており分別が困難であった。
【課題を解決するための手段】
【０００４】
そこで本発明は簡単な構造で、容易に作業できるブレーカ固定の構造を提供することを目的とし、その構造は、取り付け板にブレーカを係止する固定部材を挟持させる構造とし、取り付け板は一端にはブレーカ固定片を形成し、他端には、固定部材差し込み穴と固定部材係止穴を設けると共に、固定部材は、ブレーカ固定部を有すると共に、固定部差し込み穴に水平に差し込み可能である差し込み部が形成され、差し込み部には固定部材係止穴に係止可能である係止部を設け、固定部材を固定部材差し込み穴に差し込んだ状態でブレーカを載置し、固定部材を取り付け板にねじ止めによりブレーカを固定することを特徴とする。
【発明の効果】
【０００５】
本発明に係るブレーカ固定の構造は、取り付け板にブレーカを係止する固定部材を挟持させる構造とし、取り付け板は一端にはブレーカ固定片を形成し、他端には、固定部材差し込み穴と固定部材係止穴を設けると共に、固定部材は、ブレーカ固定部を有すると共に、固定部差し込み穴に水平に差し込み可能である差し込み部が形成され、差し込み部には固定部材係止穴に係止可能である係止部を設け、固定部材を固定部材差し込み穴に差し込んだ状態でブレーカを載置し、固定部材を取り付け板にねじ止めによりブレーカを固定するため、取り付けに特別な設備も必要なく、設備投資なく製作できるので安価に提供できる。また、容易にばねの取り付けが可能であり、作業性が向上する。パネルと板ばねの分別が簡単で、分電盤のリニューアル等でブレーカが不用になった場合にも、リサイクルしやすい。
【発明を実施するための最良の形態】
【０００６】
本発明に係るブレーカ固定の構造を図１〜図３の添付図面に基いて説明する。
【０００７】
本発明は、ブレーカ１を分電盤に組み込む際の分電盤の基台への固定構造である。分電盤の基台には、取り付け板２を配列し、取り付け板２にブレーカ１を固定することで分電盤にブレーカ１が取り付けられる。
【０００８】
取り付け板２は長手方向端部を断面略コ字状もしくは略Ｌ字状に折曲形成し、ブレーカ取り付け面３と基台取り付け面４とを構成する。基台取り付け面４は、分電盤の基台に取り付けるための取り付け穴５を設ける。ブレーカ取り付け面３の一方の端部は、切起こしてブレーカ固定片６を形成し、ブレーカ固定片６にはブレーカを係止するための係止穴７を設ける。他端には、固定部材８を取り付けるための固定部材差し込み穴９と、固定部材係止穴１０とを設ける。
【０００９】
固定部材８は、取り付け板２に設けられたブレーカ固定片６と、ブレーカ１を挟持してブレーカ１を固定するブレーカ固定部１１が設けられる。固定部材差し込み穴９に差し込み可能である差し込み部１２を形成し、この差し込み部１２には、取り付け板２に設けられた固定部材係止穴１０に係止可能である係止部１３が設けられる。係止部１３は、取り付け板２の挿入方向に向かって尖っていて固定部材係止穴１０に挿入しやすく、一端嵌合すると抜け落ちない形状である。係止部１３は、固定部材係止穴１０の範囲内においてスライド移動可能である大きさである。固定部材８の上面部にはねじ穴１４が設けられる。
【００１０】
固定部材８を水平方向に取り付け板２の固定部材差し込み穴９に差し込み、固定部材係止穴１０に係止部１３が係止した状態で、固定部材８は取り付け板２に仮固定される。その状態で固定部材８は固定部材係止穴１０の範囲内で可動であるため、ブレーカ１の長手寸法より余裕のある位置で仮固定される。ブレーカ１に設けられた突起部１５ブレーカ固定片６の係止穴７に対向させて取り付け板２上に載置し、固定部材８をブレーカ１側に寄せて、ブレーカ１の突起部１５を固定部材８のブレーカ固定部１１に嵌合させ、ねじ穴１４にねじを挿通し締め付け、ブレーカ１を取り付け板２に固定する。
【００１１】
固定部材８が樹脂製で取り付け板が金属製である場合のように、部品がそれぞれ構成材料が異なる場合がある。分電盤が取り替えられ不用になった場合、これらは分別してリサイクルしたり廃棄されたりする。その場合、本発明のように取り付け板と板ばねは係合によって取り付られるため、分別が簡単である。
【図面の簡単な説明】
【００１２】
【図１】本発明に係るブレーカ固定の構造の取り付け板を示す説明図である。
【図２】本発明に係るブレーカ固定の構造を示す説明図である。
【図３】本発明に係るブレーカ固定の構造の固定部材を取り付け板に取り付けた状態の断面図である。
【図４】従来のブレーカ固定の構造を示す説明図である。
【符号の説明】
【００１３】
１    ブレーカ
２    取り付け板
３    ブレーカ取り付け面
４    基台取り付け面
５    取り付け穴
６    ブレーカ固定片
７    係止穴
８    固定部材
９    固定部材差し込み穴
１０  固定部材係止穴
１１  ブレーカ固定部
１２  差し込み部
１３  係止部
１４  ねじ穴
１５  突起部
【図１】
2009189135.tif 000003
【図２】
2009189135.tif 000004
【図３】
2009189135.tif 000005
【図４】
2009189135.tif 000006